(57)【要約】  本発明は、正圧を用いて食塩および／または生体不活性結晶粒子剥削剤または食塩溶液を角質層に送達する皮膚剥離システムであって、使用後の粒子および取り除かれた肌膚の細胞および屑片を排出するべく肌膚と接触したときにループを閉じるための最小量の負圧と組み合わせた皮膚剥離システムである。アプリケータハンドピースは、表皮層の切除のための、本明細書で論じる組み合わせ圧力システムの使用に最適化される。
2019527114.tif 000002
【特許請求の範囲】
【請求項１】
正圧肌膚剥離システムであって、
正圧を供給する単一の空圧源と、
前記空圧源からの空気、および肌膚剥離用剥削剤コンテナを格納するよう構成されるチャンバ内の空気の両方を脱湿する脱湿器と、
前記脱湿器に連結された複数の脱湿ステージと、
前記空圧源からの加圧空気の圧力値を制御するためのコントローラおよびレギュレータのうちの少なくとも１つと、
前記肌膚剥離用剥削剤コンテナに連結された、加圧され脱湿された前記空気を含む流入チューブと、
肌膚の治療部位からの廃物を収集するための流出チューブと、
前記流出チューブに連結された、正圧−真空生成エダクタと、
対象組織に対して衝突角を有する剥離ハンドピースであって、
一方の側におけるホース端であって、前記流入チューブおよび前記流出チューブに連結されたホース端、および他方の側における肌膚治療端と、
前記肌膚治療端における偏向チャンバと、
前記偏向チャンバの底部における肌膚境界部と、
前記ホース端から前記内部偏向チャンバ端まで前記ハンドピースの内部にわたって延びる流入チャネルおよび流出チャネルであって、前記空圧源からの正圧を受け、剥削剤を前記肌膚境界部に搬送する流入チャネル、および前記エダクタからの真空圧を受け、使用済みの剥削剤および皮膚廃物を前記偏向チャンバから搬送する流出チャネルと
を含むハンドピースと
を備え、
前記ハンドピースが前記肌膚に密着したときに剥削剤の循環が引き起こされる、
システム。
【請求項２】
前記チャンバは、封止可能な筐体である、請求項１に記載のシステム。
【請求項３】
前記封止可能な筐体はまた、前記圧力源、濾過ステージ、および肌膚剥離用剥削剤コンテナを収容する、請求項２に記載のシステム。
【請求項４】
前記コンテナは、塩化ナトリウムから構成される食塩である肌膚剥離用剥削剤を格納する、請求項１に記載のシステム。
【請求項５】
前記コンテナは、酸化アルミニウムまたは重炭酸ナトリウムである肌膚剥離用剥削剤を格納する、請求項１に記載のシステム。
【請求項６】
前記真空エダクタおよび脱湿ステージのうちの少なくとも１つに接続された廃物コンテナをさらに備える、請求項１に記載のシステム。
【請求項７】
前記ハンドピースの前記衝突角は、約２０°〜５０°、もしくは１５°〜４５°、もしくは２２°〜２７°の間、または約２５°である、請求項１に記載のシステム。
【請求項８】
剥離後の肌膚の治療のための超音波トランスデューサをさらに備える、請求項１に記載のシステム。
【請求項９】
前記超音波トランスデューサは、１ＭＨｚ、２ＭＨｚ、３ＭＨｚ、３．３ＭＨｚ、または５ＭＨｚのうちの１つの周波数で動作する、請求項８に記載のシステム。
【請求項１０】
４００ｎｍから２９４０ｎｍの範囲内の光を発する可調節ランプをさらに備える、請求項１に記載のシステム。
【請求項１１】
前記加圧空気は、最大約６０ＰＳＩに制御され、前記正圧が管理されて２４〜４５ＰＳＩの間のレベルに調節されていることを保証するよう供給される、請求項１に記載のシステム。
【請求項１２】
前記偏向チャンバは、長手方向長さが約１３ｍｍであり、深さが約７ｍｍである、請求項１に記載のシステム。
【請求項１３】
前記偏向チャンバは、幅が約１３〜１６ｍｍの間であり、高さが約１４ｍｍである、請求項１２に記載のシステム。
【請求項１４】
肌膚を再活性化するための皮膚剥離のための方法であって、
単一の加圧空気源と、
前記空気を脱湿する段階と、
傾斜したハンドピースを介して、正圧を受ける剥削剤を組織上へ方向付ける段階であって、前記ハンドピースは、約２０°〜５０°、もしくは１５°〜４５°、もしくは２２°〜２５°の間、または約２５°の衝突角を有し、前記ハンドピースは、
一方の側におけるホース端であって、流入チューブおよび流出チューブに連結されたホース端、および他方の側における肌膚治療端と、
前記肌膚治療端における偏向チャンバと、
前記偏向チャンバの底部における肌膚境界部と、
前記ホース端から前記内部偏向チャンバ端まで前記ハンドピースの内部にわたって延びる流入チャネルおよび流出チャネルであって、空圧源からの正圧を受け、前記剥削剤を前記ハンドピースの前記肌膚境界部に搬送する流入チャネル、およびエダクタにより生成される真空圧を受け、前記偏向チャンバからの使用済みの剥削剤および皮膚廃物を搬送する流出チャネルと
を有する、方向付ける段階と
を備え、
前記ハンドピースが前記肌膚と密着したときに前記剥削剤の循環が引き起こされ、
日焼けによる損傷、天候による損傷および老化によるしみの軽減、治癒後の傷痕における不規則な色素パターンの軽減、小じわ、しわの平滑化、ざ瘡およびざ瘡穴の治療、肌膚の強度、弾力性／滑らかさ、および皮膚線条の外観の改善のうちの少なくとも１つが得られる、
皮膚剥離のための方法。
【請求項１５】
１ＭＨｚ、２ＭＨｚ、３ＭＨｚ、３．３ＭＨｚ、または５ＭＨｚのうちの１つの周波数を有する超音波信号を治療対象エリアに適用する段階のうちの少なくとも１つをさらに備える、請求項１４に記載の皮膚剥離のための方法。
【請求項１６】
４００ｎｍから２９４０ｎｍの範囲内の光を前記治療対象エリアに適用する段階をさらに備える、請求項１５に記載の皮膚剥離のための方法。
【請求項１７】
前記ハンドピースの前記衝突角は、２２°〜２７°の間である、請求項１に記載のシステム。
【請求項１８】
前記ハンドピースの偏向チャンバは、深さよりも長手方向に長い、請求項１に記載のシステム。
【請求項１９】
前記流入チャネルおよび前記流出チャネルは、前記ハンドピースの全長にわたって延びる、請求項１に記載のシステム。
【発明の詳細な説明】
【技術分野】
【０００１】
［関連出願の相互参照］
本願は、２０１６年７月２５日出願の米国仮特許出願第６２／４９４，００５号の利益を主張するものであり、その内容の全体が本明細書に参照として組み込まれる。
【０００２】
本発明は、概して肌膚治療の分野に関し、より具体的には、ヒトの肌膚にダーマブレーション（ｄｅｒｍａｂｒａｓｉｏｎ）、マイクロダーマブレーション（ｍｉｃｒｏｄｅｒｍａｂｒａｓｉｏｎ）、肌膚表面修復および肌膚剥離の技法を行うことで審美上、美容上および治療上の改善をもたらすための、改善されたシステムに関する。
【背景技術】
【０００３】
ヒトの肌膚は、真皮（深部）および表皮（表層部）から構成される。表皮はさらに、角質層（最外部）、淡明層、顆粒層、有棘層、および基底層を含む複数の層から構成される。これらの層の一部が切除されると、体には軽度の傷として解釈され、欠失した肌膚細胞を置換するための治癒反応が結果として生じる。
【０００４】
皮膚剥離法は、肌膚切除の深さに応じて３つの分類に大まかに分けることができる。最表層部の剥離または剥がれは、表皮内まで達する。より強力な、中程度の深さの表面修復治療は、真皮乳頭層内まで達し、深い表面修復治療は、真皮網状層の深さまで組織を切除する。皮膚剥離により誘発される肌膚への損傷は、炎症段階およびそれに続く治癒反応を誘発する。真皮および表皮の肌膚細胞が置換されることで新たな肌膚外層が形成され、線維芽細胞が新たなコラーゲン層の形成体を合成することにより、再生された細胞外マトリックスの刺激が実現する。そのようにして形成された新たな肌膚層は、より若くより正常な肌膚の生理機能および外観によりよく似たものとなる。これらの技法による肌膚剥削は、傷痕、汚れ（ｂｌｅｍｉｓｈｅｓ）を滑らかにするための治療として、または例えばざ瘡、ざ瘡痕、太陽光への曝露、しわ、色素沈着過度、日光性弾性線維症、他の色素異常症、線状皮膚萎縮症、脂漏性皮膚炎、皮膚線条等により引き起こされ得る他の肌膚症状の治療に用いられている。
【０００５】
広く知られているとおり、美容分野においては、レーザーアブレーション、ケミカルピール、針による傷付け（ｎｅｅｄｌｅ  ｔａｕｍａｔｉｚａｔｉｏｎ）、および果物の核の剥離クリーム（ｆｒｕｉｔ  ｐｉｔ  ｅｘｆｏｌｉａｔｉｏｎ  ｃｒｅｍｅｓ）等をはじめとする、皮膚剥離術のための種々のアプローチが実践されている。これらのアプローチにはそれぞれ利点と課題とがあるため、当該分野ではより効力のある方式が激しい競争の的となっている。これに応じて、専用の送達装置による、（例えば剥削媒体として）食塩を含む正圧流を利用した、新規な改善されたアプローチを以下で説明する。
【発明の概要】
【課題を解決するための手段】
【０００６】
以下、特許請求の対象のいくつかの態様についての基本的な理解を提供するべく、簡潔な要約を提示する。この要約は、全容ではなく、主要な／不可欠な要素を特定することまたは特許請求の対象の範囲を規定することを意図したものではない。その目的は、後述するより詳細な説明の前置きとして、いくつかの概念を簡略化した形式で提示することにある。
【０００７】
開示の実施形態の一態様においては、正圧肌膚剥離システムであって、正空圧源と、上記空圧源からの空気、および肌膚剥離用剥削剤コンテナを格納するよう構成されるチャンバ内の空気の両方を脱湿する脱湿器と、上記脱湿器に連結された複数の脱湿ステージと、上記空圧源からの加圧空気の圧力値を制御するためのコントローラおよびレギュレータのうちの少なくとも１つと、上記肌膚剥離用剥削剤コンテナに連結された、加圧され脱湿された上記空気を含む流入チューブと、肌膚の治療部位からの廃物を収集するための流出チューブと、上記流出チューブに連結された真空エダクタと、対象組織に対して衝突角を有する剥離ハンドピースであって、一方の側におけるホース端であって、上記流入チューブおよび上記流出チューブに連結されたホース端、および他方の側における肌膚治療端と、上記肌膚治療端における偏向チャンバと、上記偏向チャンバの底部における肌膚境界部と、上記ホース端から上記内部偏向チャンバ端まで上記ハンドピースの内部にわたって延びる流入チャネルおよび流出チャネルであって、上記空圧源からの正圧を受け、剥削剤を上記肌膚境界部に搬送する流入チャネル、および真空圧を受け、使用済みの剥削剤および皮膚廃物を上記偏向チャンバから搬送する流出チャネルとを含むハンドピースとを備える、システムが提供される。
【０００８】
開示の実施形態の別の態様においては、上記チャンバは、封止可能な筐体であり、および／または上記封止可能な筐体はまた、上記圧力源、濾過ステージ、および肌膚剥離用剥削剤コンテナを収容し、および／または上記コンテナは、塩化ナトリウムから構成される食塩である肌膚剥離用剥削剤を格納し、および／または上記コンテナは、酸化アルミニウムまたは重炭酸ナトリウムである肌膚剥離用剥削剤を格納し、および／または上記真空エダクタおよび脱湿ステージのうちの少なくとも１つに接続された廃物コンテナをさらに備え、および／または上記ハンドピースの上記衝突角は、約２０°〜５０°、１５°〜４５°、２２°〜２７°の間、および約２５°のうちの少なくとも１つであり、および／または剥離後の肌膚の治療のための超音波トランスデューサをさらに備え、および／または上記超音波トランスデューサは、１ＭＨｚ、２ＭＨｚ、３ＭＨｚ、３．３ＭＨｚ、または５ＭＨｚのうちの１つの周波数で動作し、および／または４００ｎｍから２９４０ｎｍの範囲内の光を発する可調節ランプをさらに備え、および／または上記加圧空気は、最大約６０ＰＳＩに制御され、上記正圧が管理されて２４〜４５ＰＳＩの間のレベルに調節されていることを保証するよう供給され、および／または上記偏向チャンバは、長手方向長さが約１３ｍｍであり、深さが約７ｍｍであり、および／または上記偏向チャンバは、幅が約１３〜１６ｍｍの間であり、高さが約１４ｍｍである、上記のシステムが提供される。
【０００９】
開示実施形態のさらに別の態様において、肌膚を再活性化するための皮膚剥離のための方法であって、空気を加圧する段階と、上記空気を脱湿する段階と、傾斜したハンドピースであって、約２０°〜５０°、もしくは１５°〜４５°、もしくは２２°〜２５°の間、または約２５°の衝突角を有し、一方の側におけるホース端であって、流入チューブおよび流出チューブに連結されたホース端、および他方の側における肌膚治療端と、上記肌膚治療端における偏向チャンバと、上記偏向チャンバの底部における肌膚境界部と、上記ホース端から上記内部偏向チャンバ端まで上記ハンドピースの内部にわたって延びる流入チャネルおよび流出チャネルであって、空圧源からの正圧を受け、上記剥削剤を上記ハンドピースの上記肌膚境界部に搬送する流入チャネル、および真空圧を受け、上記偏向チャンバからの使用済みの剥削剤および皮膚廃物を搬送する流出チャネルとを有するハンドピースを介して、正圧を受ける剥削剤を組織上へ方向付ける段階とを備え、日焼けによる損傷、天候による損傷および老化によるしみの軽減、治癒後の傷痕における不規則な色素パターンの軽減、小じわ、しわおよびざ瘡穴の平滑化、肌膚の強度、弾力性／滑らかさ、および皮膚線条の外観の改善のうちの少なくとも１つが得られる、皮膚剥離のための方法が提供される。
【００１０】
開示の実施形態の別の態様において、１ＭＨｚ、２ＭＨｚ、３ＭＨｚ、３．３ＭＨｚ、または５ＭＨｚのうちの１つの周波数を有する超音波信号、および４００ｎｍから２９４０ｎｍの範囲内の光を治療対象エリアに適用する段階のうちの少なくとも１つをさらに備える、上記の方法が提供される。
【図面の簡単な説明】
【００１１】
【図１】例示的な皮膚剥離システム１０５の図示１００である。
【図２】関連の電力および結晶制御スイッチ２２０を有する例示的システムの制御パネル１２０、および例示的ハンドピース２５０の実施形態の図示２００である。
【図３】最上位のサブシステムならびにそれらと媒体および互いとの相互作用を示すブロック図３００である。
【図４】湿度制御式食塩チャンバの内部図４００、および筐体１１０内の主要サブシステムである。
【図５】説明する実施形態のうちの１または複数における種々の機能ブロックを示すブロック図５００である。
【図６】表面側６４０に開口を有し長手軸の反対側の端部または６２０側にチューブ端を有する、概して長手形の固体構造体である例示的ハンドピースアセンブリ６１０の側面図の図示６００である。
【図７】交換側の連結ポート７２２および７２４を示す例示的ハンドピースアセンブリの切取図の図示７００である。
【図８】動作中の例示的ハンドピース８６０の簡潔な図案の図示８００である。
【発明を実施するための形態】
【００１２】
［導入］
【００１３】
マイクロダーマブレーション法による角質層の最上層の切除は、粒子剥削または非粒子剥削手段によって行うことができる。粒子ベースのマイクロダーマブレーションは、肌膚剥削の焦点を提供するよう肌膚に対して開口を有する略直線状のハンドヘルド装置（すなわちハンドピース）により挿入される閉ループ真空回路に沿って結晶粒子剥削剤を加速することを伴う。結晶粒子剥削剤の流れの原動力は、典型的には、回路の一端部に印加される負圧を利用して回路の他端部に吸引圧を生成する装置により提供される。柔軟性管体であって、管体の潰れまたはねじれを起こすことなく、結晶粒子剥削剤を肌膚上へ送達し続いて使用後の粒子および細胞片を肌膚の適用部位から除去するのに十分な圧力に耐えることが可能な柔軟性管体が採用される。
【００１４】
典型的な従来技術の粒子ベースのダーマブレーション／マイクロダーマブレーション装置は、ｉ）ユーザ操作ハンドピースの一端部に結合された粒子格納容器からの結晶剥削粒子の一方向の流れを提供するための柔軟性流入管体と、ｉｉ）ハンドピースの肌膚接触表面のみにおいて互いに対して開口することで、加速された結晶剥削剤の肌膚上への制御された送達を提供する、内部の平行する流入チャネルおよび流出チャネルを含むユーザ操作ハンドピースと、ｉｉｉ）使用後の粒子および細胞片を廃物コンテナへ運搬する柔軟性流出管体とを少なくとも含む真空回路を用いる。ハンドピースの肌膚接触ウィンドウが肌膚と接触すると、真空回路が閉じて封止される。それにより、回路の一端部への負圧が印加されると、肌膚がハンドピースの肌膚接触ウィンドウに引き付けられ、また表皮に衝突する剥削粒子の流れがもたらされ、続いて、その結果生じた粒子および細胞廃物が肌膚接触部位から除去される。
【００１５】
しかしながら、このような従来技術のシステムは、肌膚への負圧の長期的な印加を伴い、これは往々にして様々な副作用および問題を引き起こし得る。例えば、研究により、肌膚は通例、２２ｍｍ  ｈｇを超える長期的な吸引／真空に耐えることができず、一定期間この限界を超えると、この種の強力なマイクロダーマブレーションの結果として、真空により誘発される痣、紅斑および浮腫が引き起こされ得ることが示唆されている。これは、肌膚が著しく薄い、有色（フィッツパトリック分類ＩＩＩ〜ＶＩ）である、引き付け、引っ張りもしくは引っかき、または痣／紅斑により誘発される変色に敏感であるなど、特定の肌膚タイプの場合に特に当てはまる。さらに、厚みおよび弾力性が異なる、肌膚の異なる領域に一定レベルの真空を印加することにより、吸引により肌膚が引き伸ばされる度合いから、予測不能な様々な作用が生じる場合がある。例えば、眼瞼など肌膚が非常に薄い領域では急性外傷が生じやすいが、反対に背中などのより厚い肌膚では受ける外傷が不十分となる場合がある。
【００１６】
そのため、従来技術の欠点に鑑みて、従来技術の治療において典型的に採用される長期的な高真空圧への肌膚の曝露を少なくしたまたはなくした皮膚剥離システムが、長きにわたって必要とされてきた。そのようなシステムは、負圧への長期的な曝露により誘発される、血管および細胞外コンパートメントなど表皮の下層の構造体に対する外傷を低減し、著しく薄い肌膚、有色（フィッツパトリック分類ＩＩＩ〜ＶＩ）のもの、ならびに引き付け、引っかき、痣または変色に敏感な肌膚などの禁忌の存在を考慮すると現行の療法が現状では使用できない患者の備えを拡充するであろう。
【００１７】
長期的な真空作用を少なくするまたはなくす必要と同時に、皮膚剥削を実行するために様々な結晶粒子剥削剤が用いられていることが知られており、従来技術においては酸化アルミニウムを含むアルミニウム系結晶の使用が好まれている。外用したときのヒトの肌膚との適合性および非毒性の性質を考慮して塩化ナトリウムの使用が試みられているが、典型的に使用される食塩結晶の微視的構造がきわめて不規則かつ脆弱であることから、その使用は途中で挫折しており、美容上および／または治療上の効力に必要なレベルの肌膚剥削に必要な調和性を提供することができていない。これに対し、酸化アルミニウムは、肌膚上へ発射された場合にその結晶構造および剥削能力を維持することが可能であるが、アルミニウムの存在は、肌膚細孔の閉塞から、女性のアルツハイマー病罹患者の脳内でより多量に発見されたことを示すいくつかの証拠にいたるまで、ヒトの身体が受ける様々な合併症に関連があるとされている。
【００１８】
これに応じて、当該分野においてはまた、塩化ナトリウムが肌膚に接触した場合にその結晶剥削剤の特性を保持することが可能なように、塩化ナトリウムを例えば剥削媒体として利用することによって皮膚剥離を行うことが可能な装置の設計が長きにわたり必要とされている。
【００１９】
［詳細な説明］
【００２０】
上記に鑑みて、そのような粒子の流れを提供するメカニズムの改善された設計、および／または、粒子流動の制御を操作者が最適化することが、例えばハンドピースと治療対象の肌膚との間の接触角度にそれが関連することで可能となるハンドピースの改善された設計を提供する。
【００２１】
したがって、本明細書で説明する例示的実施形態のうちの１または複数は、任意選択的に正圧を受けてハウジングから肌膚表面へ結晶剥削粒子の流動を送達し、さらにハウジングへ戻っていく送達後の（廃物の）結晶剥削粒子、取り除かれた肌膚細胞および／または肌膚片を収集するよう特別に構成されるハンドヘルドアセンブリ（例えばハンドピース）を用いて、肌膚にダーマブレーション、マイクロダーマブレーション、または肌膚剥離術の治療を行うための装置に関する。１または複数の種々の実施形態は、正圧および任意選択的に負圧を中央制御ユニットからハンドピースに供給する手段を含む。ユーザ入力デバイスにより、印加される圧力量の制御が可能となる。ハンドヘルドアセンブリは、剥削剤の食塩および／または結晶および／または肌膚片などの運搬物を流入および／または流出容器まで通過させる手段を提供する１または複数のホースにより、ハウジング（これは、ハウジングを湿度レベル５０％未満に保つ脱湿デバイスを含む）に接続される。
【００２２】
ハンドピースは、所望の媒体、例えば酸化アルミニウム、塩化ナトリウム、または重炭酸ナトリウム等の微小結晶を含有する空気流を方向付けるよう用いることもできる。１または複数の実施形態は、流入チャネルに沿ってハンドピースを通るように結晶粒子剥削剤に推進力を供給して粒子流を肌膚上へと加速させるための正圧システムの機能および構造に関する。ハンドピースの肌膚接触部分から負圧を供給することが可能な流出チャネルを、細胞および／または結晶粒子剥削剤の屑片を肌膚接触部位から除去するために用いることもできる。
【００２３】
図１は、例示的な皮膚剥離システム１０５の図示１００である。外側筐体１１０、制御パネル１２０、遠隔超音波トランスデューサ／コントローラ１３０、可調節ランプ１５０に連結された関節結合アーム１４０を示す。図からは例示的なハンドピースが見えなくなっている。筐体１１０の内部には、種々の正圧システム、剥削剤コンテナ／フィルタ、温度／水分コントローラシステムがある。図１の実施形態は、非常に小型かつ機能的であるとともに、外側筐体１１０の底部にローラー／キャスターを有する可搬式のユニットを明示する。
【００２４】
図２は、関連の電力および結晶制御スイッチ２２０を有する例示的システムの制御パネル１２０、および例示的ハンドピース２５０の実施形態の図示２００である。制御パネル１２０／結晶制御スイッチ２２０は、図１のシステム１０５の動作を制御するための複数の「ボタン」またはスイッチおよびインジケータを含み、当該分野において広く知られたものであることを理解されたい。例えば、真空、剥削レベル、流量、圧力、熱、フィルタステータス、廃物ステータス、および照明等といった、システム１０５内の種々のサブシステムのステータスを制御および提示するためのボタン／スイッチ／計器／照明が、図示のように制御パネル１２０／２２０上に配置されるか、または設計の好みに応じてシステム１０５の他の側／面に分配され得る。
【００２５】
図３は、最上位のサブシステムならびにそれらと媒体および互いとの相互作用を示すブロック図３００である。単に説明を容易にする目的で、種々の実施形態において媒体を「食塩」と呼称するが、要求に応じて他の剥削剤タイプの媒体が用いられてもよいことは理解されよう。媒体（または食塩）３１０は、空圧源３２０、脱湿器／熱源３３０および一次フィルタ３４０の組み合わせにより、逐次的にまたは一斉に操作される。
【００２６】
一実施形態において、正空圧源３２０は、脱湿３３０され、食塩３１０をその貯蔵器から輸送し、次いで脱湿された食塩が１または複数の一次フィルタ３４０で濾過されることで、「第１ステージ濾過・脱湿済み」剥削剤が結果として生じる。脱湿器３３０からの抜き出された水分（または水）は、放出水分としてまたは廃物タンク（不図示）もしくはドレイン（不図示）を通して、廃物３３５として排出され、廃物濾過された食塩３４５および／または３６５も同様である。いくつかの実施形態において、脱湿器は、（例えば図２に示すスイッチ／制御部のうちの１つを介して）食塩中の所望の水分レベルを提供するよう制御される吸湿性の固体であってよい。一次フィルタ３４０は、第１ステージ濾過において適切なサイズおよび「品質」の食塩を選択するよう動作する１つのフィルタ、または一連の複数のフィルタを含んでよいことを理解されたい。より高い「品質」の食塩にするために追加のレベルの濾過が望まれる場合、第１ステージ濾過・脱湿済み食塩は、次いで二次フィルタ３５０により処理される。第２ステージ濾過・脱湿済み食塩の廃生成物は、廃物３５５および／または３６５と同様に取り出される。次段の食塩はこのとき、優れた皮膚用剥削剤としての適切な使用が有効となるよう適切なサイズおよび品質および湿度のものとなっており、空圧源３２０（または要求に応じて二次的な空圧システム）によって傾斜ハンドピース３６０へ移送される。剥離物および消費済みの食塩はその後、傾斜ハンドピース３６０から廃物レセプタクル３６５内に収集される。
【００２７】
いくつかの実施形態において、種々の廃物（３４５、３５５、３６５）は、要求に応じて単一の「廃物」コンテナに搬送されてよいことに留意されたい。また、脱湿器３３０は第１ステージのプロセスのみを実施するものとして示されているが、いくつかの実施形態においては、脱湿が第２ステージのプロセスにも適用されることで、食塩が第１ステージプロセスの終了以降に周囲空気によって再加湿されないよう保証されることが理解される。したがって、これらの後者の実施形態において、「脱湿」は閉鎖系を含むこととなり、例えば、図１に示す筐体１１０の内部全体が、封止された密閉体であってよい、または脱湿を必要とするサブシステムに対して部分的に封止されてよい。
【００２８】
図４は、湿度制御式食塩チャンバの内部図４００、および筐体１１０内の主要サブシステムである。食塩キャニスタ４２０は、剥削媒体を格納し、これは使い捨て式コンテナであってよい、および／または供給者により供給される既充填品であってよい。食塩キャニスタ４２０の底部には、正圧注入キャップ（ＰＰＩＣ）４２５があり、粉体供給システム４５０（図中には粉体供給システムのカバーを示す）に食塩を供給するよう、食塩キャニスタ４２０と連携動作する。ＰＰＩＣ４２５の底部には、一対のチューブ４３０および４４０があり、チューブ４３０は清浄乾燥空気の圧力を食塩キャニスタ４２０内に供給し、チューブ４４０はＰＰＩＣから粉体供給システム４５０への食塩の経路を提供する。脱湿器４６０は、適切な湿度（必ずではないが典型的には５０％未満）を提供する。廃物塊フィルタバッグ４７０は、使用済みの食塩および肌膚片を収集し、典型的には使い捨て式である。粒子回収システムまたはエダクタ４８０は、廃物フィルタバッグ４７０の上にあり、正圧により誘発される速度を維持すると同時に治療部位から余分な粒子を回収するよう動作する。湿度を監視するために、湿度センサ４９０が湿度をトラッキングし、湿度ステータスをユーザへ直接的接続または無線を介してリレーする。いくつかの実施形態において、湿度センサ４９０は、筐体１１０から除外され、室内に設置されて室内湿度が適度であるか否かを調べるものとすることができる。
【００２９】
図５は、説明する実施形態のうちの１または複数における種々の機能ブロックを示すブロック図５００である。これらの要素のうちのいくつかは任意選択的であることを理解されたい。完全性のために、ブロック図５００は全ての任意選択的な構成要素を列挙した状態で示されている。 
【００３０】
エアコンプレッサ５２０は、単段階逓降（ｓｔｅｐ  ｄｏｗｎ）圧力調節を提供するリリーフバルブ５２５（ここでは例えば約５０ポンド毎平方インチ（ＰＳＩ）に設定されるものとして示す）を用いて、システムおよび食塩移動空圧を供給する。熱交換器５３０および脱湿器（Ｈ２Ｏセパレータ）５３３は、コンプレッサ５２０と一直線上にあり、加圧空気を冷却および脱湿するとともに食塩を移動させるよう動作する。熱交換器５３０は、相対湿度３５％まで低下するよう脱湿することが可能なコイルベースのシステムであり得る。脱湿器５３３は、粉体ボトル（５６５）への可変圧力および真空エダクタ（５４３）への総圧力、ならびに水分を排出するための圧力を供給するなどの複数の機能を提供することができる。一連の第１ステージのエアフィルタ５４２、５４４および５４６は、種々のより小さい細度の空気濾過を提供して食塩を移動させる。例えば、フィルタ５４２は、熱交換器５３０からの水蒸気を除去するために０．３ｕｍサイズの濾過を提供する。一連の２つの一方向フィルタ５４４および５４６は、逆流を防ぐために０．０２０"の濾過を提供する。種々のフィルタからのあらゆる水／廃物（水分）は、ドレインまたは廃物収集器５８０に搬送される。正圧が管理され２４〜４５ＰＳＩの間のレベルに調節されることを保証するべく、最大約６０ＰＳＩの二次可調節リリーフバルブ５３５が設けられる。
【００３１】
圧力レギュレータ５４０も、廃物を廃物バッグ５４５へ方向付ける真空エダクタ５４３と、コンプレッサの流動に接続される。圧力レギュレータ５４０は、使用済みの食塩および廃物を廃物バッグ５４５へより良好に引き込むための圧力「逓降（ｓｔｅｐ−ｄｏｗｎ）」を提供する。加えて、この圧力はまた、使用済み物質の輸送のためにハンドピース真空チューブ５４７に送られる。真空エダクタ５４３はまた、真空チューブ５４７に接続され、そして真空チューブ５４７は真空スイッチ５１５および０．３ｕｍフィルタ５６２に連結される。次に、二次フィルタ０．３ｕｍ  ５５２、０．０２０"  ５５４、および０．０２０"  ５５６がコアレッシングフィルタ５５０と組み合わせて用いられる。コアレッシングフィルタ５５０は、第１ステージ濾過と同様である第２ステージ濾過の最初のものとして動作する。電子レギュレータ５６０が、コアレッシングフィルタ５５０の下流にある。レギュレータ５６０は、ユーザインタフェース／制御パネルで設定される電圧および圧力設定を制御する。それにより、レギュレータ５６０からの調整され逓降された可調節かつ可変ＰＳＩの正圧が０．０２５"オリフィス５６１を通って送られ、粉体ボトル５６５に通じる０．３ｕｍフィルタ５６３から構成される追加の濾過レベルがこれに続く。この水分濾過された可調節の加圧空気が粉体ボトル５６５内に正圧を生成し、粉体ボトル５６５内の剥削剤をピンチ弁５６７へと押す。
【００３２】
ピンチ弁５６７は、粉体ボトル５６５に接続され、そして０．０７０"オリフィス５６９を介して粉体供給ハウジング５７７に接続される。ピンチ弁５６７は、肌膚と接触したハンドピースにおいて圧力ループが「閉じる」まで閉状態となるよう設定される。接触すると、ピンチ弁５６７が開き、０．０７０"オリフィス５６９を通して剥削材料が供給される。粉体供給ハウジング５７７は、脱湿済みの正圧および濾過済みの空気を混合し、濾過および脱湿済みの食塩を制御パネル１２０で設定された強度で分配する。圧力分配器５７０は、電気レギュレータ５６０の下流にあり、３．５ＰＳＩリリーフ５７３に連結され、０．０７０"オリフィス５７５を介して管体に、およびそれに続く粉体供給ハウジング５７７に接続される。圧力分配器５７０は、調節済みの圧力を分配して剥削材料をハンドピース内へと推進する。空気の速度は、０．０７０"オリフィス５７５を通過することにより最適化され、そこで粉体供給ハウジング５７７からの剥削材料と混合される。粉体供給ハウジング５７７は、ハンドピースに通じる粉体チューブ５９０に接続される。
【００３３】
図６は、表面側６４０に開口を有し長手軸の反対側の端部または６２０側にチューブ端を有する、概して長手形の固体構造体である例示的ハンドピースアセンブリ６１０の側面図の図示６００である。ハンドピースは、その長手軸のヘッド６３０に肌膚接触表面６４０、およびその長手軸の反対側の端部に「交換」表面６２０を有する。ハンドヘルドアセンブリの長手軸の「交換」（すなわち非肌膚接触）端部６２０は、流入ホースもしくは流出ホース、または好ましくはその両方の取り付けを可能とする接続具を有するよう構成されてよく、上記の流入ホースおよび／または流出ホースは、結晶剥削粒子を流入チャネルに供給するための容器および／または流出チャネルから物体を受け取るための廃物レセプタクルを任意選択的に有し得る中央制御ユニットに接続する。このような接続部は、装置により供給される圧力に耐えることが可能であり、結晶剥削剤を肌膚に送出することと肌膚接触部位から廃物を除去することとの両方が可能である真空管体、もしくは手術用管体、または任意の他の既知の接続材を含んでよい。
【００３４】
ハンドピースアセンブリ６１０は、その長手軸が肌膚接触表面６４０に対して「衝突角」をなすよう設計されてよい。「衝突角」または剥削媒体が組織に突き当たる角度は、患者の不快感レベルと直接の相関を有する。衝突角が大きいほど、不快感の度合いが大きくなる。よって、一実施形態において、ハンドピースアセンブリ６１０は、肌膚接触表面の平面がハンドヘルドアセンブリ６１０の軸に対して９０°未満、具体的には２０°〜５０°の間の角度となる衝突角を有するよう設計されてよい。多くの実施形態において、この角度は、１５°〜４５°の間となり、最適な角度範囲は２２°〜２５°の範囲内のどこかである。原型の実施形態においては、この角度が２５°に設定されて優れた結果となった。これらのより小さい角度を用いることで、不快感がより小さくなり、処置がより強力かつ効率的になる。
【００３５】
図７は、交換側の連結ポート７２２および７２４を示す例示的ハンドピースアセンブリの切取図の図示７００である。連結ポート７２２、７２４は、それぞれのチューブ（不図示）の容易な挿入を可能とする。連結ポート７２２、７２４は、ハンドピースアセンブリの全長にわたって肌膚接触境界部７３４まで延びる流入チャネル７５２および流出チャネル７５４の２つのチャネルを介してハンドピースアセンブリのヘッド７３０と連通する。チャネル７５２、７５４は、設計の好みに応じて、一様な断面を有するまたは一様でない断面を有する円筒形チャネルであり得る。図７に示す実施形態において、これらのチャネルは、一様な流入チャネル７５２が肌膚接触境界部７３４に近い箇所に二次的なより小さいチャネル７６０を有することを除き、断面が一様である。ヘッド７３０は、偏向チャンバ７８０、流入、流出チャネル（７５２、７５４）のためのチャンバ開口、および肌膚接触境界部７３４を含む。剥削剤／食塩、細胞および肌膚微粒子が偏向壁７８４から偏向されて流出チャネル７５４内に「吸い込まれる」ことを可能とするよう、偏向チャンバ７８０は流入／流出チャネルの合計サイズよりも長さおよび高さの両方において大きいサイズにされる。偏向チャンバ７８０に関する「偏向」という用語は、一般的用語であることを理解されたい。すなわち、チャンバが十分に長いまたは印加される圧力が十分に低い場合、剥離された組織または剥削剤のいわゆる偏向がチャンバ内で発生することはなく、単に流出チャネル７５４に向け変えられる。したがって、「偏向チャンバ」という用語は、偏向チャンバ７８０内における偏向の発生と偏向の非発生との両方を包含するものとして理解される。
【００３６】
原型の実施形態においては、偏向チャンバ７８０を、長手方向長さが約１３ｍｍ、深さが約７ｍｍとなるよう構成した。偏向チャンバ７８０の高さは、約１３〜１６ｍｍの間で約１４ｍｍの高さとした。衝突角は、約２５度とした。もちろん、これらの値は単に原型の代表的な例であり、したがって本開示の趣旨および範囲を逸脱しない限りにおいて他のサイズおよび寸法等が用いられてよい。
【００３７】
流入チャネル７５２は、流出チャネル７５４の下方に位置し、肌膚接触境界部７３４の「背」部に向けられ、衝突する食塩からの「壁」の跳飛作用を最小限にするように偏向壁７８４から離隔ゆとりをとっている。肌膚接触境界部７３４の末端部の一方の側においては、肌膚接触境界部７３４の肌膚との「封止もれ」を生じることなくヘッド７３０が傾斜することを容易にするよう、および／または「縁部」の不快感を生じることなくヘッド７３０が患者の肌膚にわたって移動することを可能とするよう、球状または曲面状の表面７３６が設けられる。
【００３８】
動作中、ハンドピースが肌膚に接触すると、結晶粒子剥削剤が湿度制御式格納容器から流入チャネル７５２内に吸入されるようにする真空を生成する吸引メカニズムによって圧力が流出チャネル７５４に印加される。それにより、結晶粒子剥削剤がハンドピースの流入チャネル７５２を通して推進され、これにより微小な微粒子状結晶剥削剤の流れが肌膚上へと高速で方向付けられ、これにより肌膚が剥削され、ハンドピースの通過ごとに細胞層が摩耗される。ハンドピースの肌膚接触境界部７３４において、結晶剥削剤が流入チャネル７５２を通して吸入推進され、肌膚表面からの取り除かれた肌膚細胞および屑片が接触部位からハンドピースの流出チャネル７５４を通して除去される。
【００３９】
力およびモーメントが剥削粒子に与えられるメカニズムは、肌膚上に向く流入チャネル７５２の一端部に正圧ループを生成することによって生じ、流出チャネル７５４を通る真空ループを通して戻り出る。したがって、正圧および負圧システムの両方が利用される。具体的には、ループの一端部に印加される正圧は、肌膚と接触したハンドピースの肌膚接触境界部７３４に剥削粒子を供給し、流出チャネル７５４内の負圧により排出される。圧力のバランスが必要であり、これは閉鎖系として実現され、この閉鎖系を形成するには肌膚との接触が必要である。
【００４０】
肌膚との接触は、ハンドピースの１または複数のオリフィス（不図示）によって増幅することができ、これにより肌膚との係合が生じ、粒子をハンドピースの流入オリフィスから引き出した後肌膚から離して廃物容器内へと引き込む力がさらに生成されることを理解されたい。閉ループは、圧力が小さくても適した動作を提供するのに十分な力が存在することにより、完全な封止が必要でない準閉ループ系であってよいことをさらに理解されたい。
【００４１】
よって、本発明の装置のハンドピースは、準閉ループ系における圧力サイクルを介して結晶剥削剤を送達するよう設計されている。ハンドピースを肌膚表面と接触させることで、剥削粒子を格納容器から供給し、それにより微粒子流動を肌膚平面と実質的に垂直でない角度に方向付ける。
【００４２】
この方向付けにより、肌膚上に降り注ぐときの粒子間の総衝突回数が減り、それによりそれらの結晶剥削剤としての特性がより良好に保たれる。結晶粒子剥削剤のサイズは、これを理想的な粒子サイズに調製するプロセスによって調節されてよい。特に、粒子の平均サイズは、６０ミクロンから７５０ミクロンの範囲であってよい。
【００４３】
本装置は、ハンドヘルドアセンブリを介した結晶剥削剤の肌膚への送達を、表皮の少なくともいくらかを除去し、かつ送達後の結晶剥削剤およびあらゆる肌膚細胞を収集するのに十分な速度に制御するためのユーザ入力手段を含むハウジングを含む中央制御コンソールをさらに備える。ユーザ入力デバイスは、コンピュータ、および／またはタッチスクリーン、および／またはキーボード、および湿度制御式チャンバ等を含んでよい。本装置は、肌膚を剥削する結晶剥削剤を供給するための格納容器（すなわちホッパー）を備えてよい。いくつかの実施形態において、当該装置は、肌膚に接触した結晶剥削剤などの廃物を受け取るための格納容器をさらに備えてよい。いくつかの実施形態において、いずれかのそのような容器は、装置のハウジング内に格納される。
【００４４】
図８は、動作中の例示的ハンドピース８６０の簡潔な図案の図示８００である。正圧を受けた食塩８１０は、皮膚下層８７５の上方に皮膚上層８７３を有する対象組織８７０に流入する。流入チャネル８６３は、食塩８１０を表面境界部の端部８６５に打ち当たるよう方向付け、これは治療対象エリアから食塩／屑片を引き離す負圧を有する流出チャネル８６６内へと（剥離された組織粒子とともに）方向付けられる。  ［超音波との組み合わせによる治療］
【００４５】
皮膚剥離を用いた肌膚治療の完了後、肌膚に美容向上剤または治療剤を施し、続いて超音波の使用を行ってよい。美容および／または治療向上剤の送達性および吸収性を向上させるための超音波の使用については、当該分野において既知である。本発明の特に好ましい超音波周波数範囲は、１ＭＨｚ、２ＭＨｚ、３ＭＨｚ、３．３ＭＨｚ、５ＭＨｚを含む。
【００４６】
［発光デバイスとの組み合わせによる治療］
【００４７】
本発明の治療のうちいずれかが、例えば可調節ランプによる光療法と組み合わせて利用されてよい。光は、任意の手段により提供されてよいが、ＬＥＤ発光機器が好ましい。発光デバイスの使用について、そのようなデバイスは、総出力パワーではなくスペクトルパワー出力に関して選択されることが好ましい。光の波長は、４００ｎｍから２９４０ｎｍ、より好ましくは４０１ｎｍから１５５０ｎｍ、または最も好ましくは４０４ｎｍから９５０ｎｍの範囲であってよい。
【００４８】
本発明の組み合わせ治療は、ざ瘡の治療を主とするものであってよい。そのような治療は、ざ瘡細菌を殺すことが知られている波長範囲（４０４〜４１４ｎｍ）および肌膚修復を促進する波長（６６０ｎｍ）を主とするものであってよい。アンチエイジング治療および皮膚線条の治療には、肌膚細胞の成長を刺激しコラーゲンネットワークを改善するために６６０ｎｍの赤色光が用いられる。９３０ｎｍの近赤外光は、毛細血管を拡張し、アンチエイジング治療の治療および皮膚線条の治療のためのより良好な組織酸素化ならびに栄養素、成長因子および免疫系への改善されたアクセスを生じさせる。
【００４９】
したがって、好ましい光設定は、吹き出物を生じさせる表面下細菌を殺すために、ざ瘡用の青色を含む。別の好ましい光設定は、ざ瘡、ざ瘡痕、ざ瘡による炎症および色素沈着を治療するために赤色および青色光の組み合わせを含む。別の好ましい光設定は、全体的な肌膚再活性化のために、特に肌膚上の表層の赤色および褐色を治療するために赤色および琥珀色（５９０ｎｍ）の組み合わせを含む。別の好ましい光設定は、色素の治療およびコラーゲンの刺激、肌膚の引き締めならびに皮膚線条の治療のために赤色および近赤外光（ＮＩＲ）の組み合わせを含む。露光プログラムは、３回の瞬間的曝露から３０回の瞬間的プログラム曝露までの範囲であってよく、または４、５、６、７、８、９、１０、１１、１２、１３、１４、１５、１６、１７、１８、１９、２０、２１、２２、２３、２４、２５、２６、２７、２８および２９回の瞬間的曝露を含むその間の任意の回数であってよく、またその間に介在する任意の間隔があってもよい。それらの光への肌膚の曝露は、中間の任意の距離も含め、０．１"から８．０"の範囲において行われてよく、好ましい距離は肌膚から４．５"である。このような治療は、抗生物質、レチノイン酸、ＡＣＣＵＴＡＮＥ（登録商標）を含む他の既知の治療と組み合わせられてもよく、そうでなくてもよい。
【００５０】
［実施例１］
【００５１】
典型的な皮膚剥離処置は、肌膚再活性化、日焼けによる損傷、天候による損傷および老化によるしみの軽減、治癒後の傷痕における不規則な色素パターンの軽減、小じわ、しわおよびざ瘡穴の平滑化、肌膚の強度、弾力性および滑らかさの改善を実現するべく、また皮膚線条の外観の改善のために行われる。典型的な皮膚剥離治療。手順は、典型的には以下のとおり。
・あらゆる油分、化粧または他の汚れまたは屑片を治療対象エリアから落とす。肌膚が乾いていることを確かめる。
・皮膚剥離術を行う。肌膚を張った状態に保ち、治療対象エリアにわたってハンドピースを引き回すことによりこれを行う。治療対象エリアにわたって少なくとも１回通過させ、治療対象エリアにわたって多くとも８回通過させる。この治療は、治療対象エリアにわたって１つ、２つまたは３つの異なる方向（横、縦および斜め）において行う場合がある。
・あらゆる残留粒子を治療対象エリアから洗浄除去する。
・任意選択的に蒸気処理、音波洗浄および抽出を行う。
・皮膚剥離術を用いた後、レーザおよびＩＰＬ光療法、または皮膚線条の外観、肌膚再活性化、ざ瘡、色素沈着病変および赤色病変の治療のためのマイクロニードリング（ｍｉｃｒｏ−ｎｅｅｄｌｉｎｇ）を行う。
・任意選択的に、ビタミンＣセラム、コラーゲンペプチド、グリコール酸、および他の酸化防止剤、および肌膚再活性化局所剤などの製品を肌膚細胞内の深くまで浸透させるよう局所用製品の超音波適用を行う。
・任意選択的に、ビタミンＣセラム、コラーゲンペプチド、グリコール酸、他の酸化防止剤および肌膚再活性化局所剤などの局所治療剤のさらなる浸透および活性化を促すよう、本発明の光線療法を用いる。
【００５２】
［実施例２］
【００５３】
以下の方法は、肌膚再活性化、日焼けによる損傷、天候による損傷および老化によるしみの軽減、治癒後の傷痕における不規則な色素パターンの軽減、小じわ、しわおよびざ瘡穴の平滑化、肌膚の強度、弾力性および滑らかさの改善を実現するべく、また皮膚線条の外観の改善のために行われる。
【００５４】
［治療形態］
【表１】
2019527114.tif 000003
【００５５】
＊肌膚再建は、日焼けによる損傷の軽減、肌膚の質感および張りの改善、しわの軽減等を含む。通例、三回目の治療で明らかな効果が現れる。
・皮膚剥離を行うとき、あらゆる残留粒子を治療対象エリアから洗浄除去する。
・任意選択的に、ビタミンＣセラム、コラーゲンペプチド、グリコール酸、および他の酸化防止剤、および肌膚再活性化局所剤などの製品を肌膚細胞内の深くまで浸透させるよう局所用製品の超音波適用を行う。
・任意選択的に蒸気処理、音波洗浄および抽出を行う。
・ビタミンＣセラム、またはコラーゲンペプチドなどの局所治療剤の浸透を促すよう、本発明の光線療法を用いる。
・本発明の光線療法をコラーゲンペプチドと併用すると、光療法またはコラーゲン治療のいずれかを単独で用いるよりも急速に皮膚線条、しわおよび小じわの外観の平滑化に明らかな改善がもたらされる。
・肌膚の回復を速めるために、ケミカルピール治療の後に光線療法を行うと有用である。
【００５６】
［実施例３］
【００５７】
この研究では、５Ｊ／ｃｍ２を含む様々なエネルギーの光を送達することが可能なＬＥＤデバイスを用いた。肌膚細胞に対するＬＥＤ光の作用を判定するべく、様々な組織培養および動物モデルの研究を行った。この調査研究は、組織培養研究、動物研究およびヒトでの臨床研究を含む。線維芽細胞（肌膚細胞）組織培養において、複数の波長および強度の研究を行った。この実験設計において、細胞増殖およびコラーゲン生成に最適な波長は、赤色光であることが判定された。６６０ｎｍ波長の赤色光が特に効果的であることが見出された。動物研究により、創傷の縁部は、赤色および近赤外光により刺激された２種類の肌膚細胞（線維芽細胞およびケラチン生成細胞）の増加源であることが示唆された。これらの２種類の細胞は、次いで創傷エリア内に移動して新たな肌膚を形成する。治療対象動物における創傷治癒が加速された。創傷治癒の加速に付随して、組織成長因子の量が増加した。潜水室内で長期間生活する必要があり、深い潜水条件で負傷した兵士に対して研究を行った。これらの条件下における擦り傷、痣および小さい切り傷は、治癒速度が非常に遅いため深刻なものとなり得る。近赤外光による創傷治癒は、正常な条件に近い程度の改善を示した。
【００５８】
［実施例４］
【００５９】
［コラーゲンおよび細胞再生の促進］
【００６０】
赤色および琥珀色の光は、アンチエイジング治療において有用である効果的な肌膚再建治療を提供する。アンチエイジング治療は、以下の方法を利用する。
【表２】
2019527114.tif 000004
【００６１】
＊肌膚再建は、日焼けによる損傷の軽減、肌膚の質感および張りの改善、しわの軽減等を含み、コラーゲン生成を促進する。通例、三回目の治療で明らかな効果が現れる。
【００６２】
＊＊他の活性成分が存在しないと仮定し、酸化防止剤およびコラーゲンペプチドなどの活性成分の浸透および活性化を促すよう、赤色／琥珀色の光治療を用いる。
【００６３】
赤色および琥珀色による光線療法を、洗浄と最終的な湿潤化との間において現行の方法に組み込む。
【００６４】
１．皮膚剥離を行うとき、あらゆる残留結晶を治療対象エリアから洗浄除去し、続いて光線療法を行う。
【００６５】
２．まず蒸気処理、音波洗浄および抽出を行い、続いて光線療法を行う。
【００６６】
３．ビタミンＣセラム、またはコラーゲンペプチドなどの局所治療剤の浸透を促すよう、琥珀色および／または光線療法を用いる。
【００６７】
４．本発明に関する光線療法をコラーゲンペプチドと併用すると、光療法またはコラーゲン治療のいずれかを単独で行うよりも急速にしわおよび小じわの平滑化に明らかな改善がもたらされる。
【００６８】
［実施例５］
【００６９】
［肌膚再生を促進するための近赤外光：糖尿病細小血管症患者の肌膚微小循環に対する低強度レーザ照射の全身作用］
【００７０】
長期間の糖尿病の罹患者は、脚および腕における循環の悪化を患い、これは痛み、感覚麻痺そして最終的には神経障害および不随につながる。３０Ｊ／ｃｍ２の近赤外光のみを送達する、ハイエンドのＬＥＤデバイスに匹敵する出力の低レベルレーザデバイスを用いた。その後、肌膚エリアにおける血流を計測した。照明しなかった他方の足または手の血流に対して比較を行った。照明されたエリアにおいては、改善された持続的な血流が計測され、これは照明のターンオフ後少なくとも３０分間継続した。
【００７１】
この肌膚中の血流における持続的な改善は、近赤外照明に起因するものと考えられる。肌膚に対する近赤外光は、血管拡張作用により毛細血管をより大きく広げると考えられる。近赤外光は、組織酸素化および栄養アクセスを改善することにより、肌膚再生に対する赤色光の作用を改善する。この波長（９３０ｎｍ）の近赤外光は、組織の加熱、または熱感を引き起こさない。
【００７２】
［実施例６］
【００７３】
転倒による外傷後の高齢患者の褥瘡治癒に対する光療法の作用：前向きの無作為対照研究。
【００７４】
圧迫創傷（床ずれ）のための最も一般的な治療は、抗生物質および機械的処置である。典型的なステージＩＩの創傷は、治癒するまでに１２〜１４週間かかる。ステージＩＩの圧迫創傷は深刻であり、重篤な感染症の脅威をもたらす。これは、被覆する肌膚の欠損を特徴とし、下層組織の破壊の前に起こる。この研究では、最大５ジュール／ｃｍ２の赤色および近赤外光を送達する杖型のＬＥＤデバイスを用いた。患者の創傷を、創傷が閉鎖するまで週に３〜５回照明した。創傷寸法の日ごとの計測を行った。これらの患者の創傷は、非治療対象の創傷と比較して５０％の確率で治癒した。
【００７５】
［実施例７］
【００７６】
青色および赤色光を利用する本開示の方法は、軽度から重度の炎症を起こしたざ瘡を０．５か月から３か月の範囲の期間、典型的には１か月で効果的に治療する。青色モードのＬＥＤは、青色光の最適な波長および強度でアミノレブロン酸（Ａｍｉｎｏ  Ｌｅｖｕｌｏｎｉｃ  Ａｃｉｄ）［（ＡＬＡ）＋；（ＬＥＶＵＬＡＮ（登録商標））］を効率的に活性化させる。高強度の青色光は、過酸化ベンゾイル治療の後にざ瘡コロニーが残留する、毛包の奥深く脂腺の下方まで浸透する。青色光の浸透は約１．５ｍｍであり、これは多くの局所治療が浸透可能な深さのおよそ４倍である。加えて、その作用は極めて限局的である。青色光は、細菌内で毒性事象を生じさせるが、肌膚自体には無害である。５％の過酸化ベンゾイルおよび経口抗生物質テトラサイクリンを含む局所治療が予め施されてもよい。ＡＬＡは、青色光を吸収して活性化する。この活性化は、ざ瘡細菌に対して高毒性であるが、周囲の肌膚細胞にはそうでない。本発明は、この作用に必要となる、医学的に証明された最適な波長および強度を提供する。
【００７７】
本発明を特定の実施形態および実施例に関連して開示したが、本発明は、具体的に開示されている実施形態を超えて他の代替的実施形態まで及ぶ、および／または想到の容易な変形およびその均等物を用いるものであることが、当業者には理解されよう。したがって、本発明が限定されることは、添付の特許請求の範囲による場合を除いて意図されていない。
【図１】
2019527114.tif 000005
【図２】
2019527114.tif 000006
【図３】
2019527114.tif 000007
【図４】
2019527114.tif 000008
【図５】
2019527114.tif 000009
【図６】
2019527114.tif 000010
【図７】
2019527114.tif 000011
【図８】
2019527114.tif 000012
【国際調査報告】
2019527114.tif 000013